(57)【要約】  本発明は、光ディスクの内側トラックから外側トラックに沿って配される複数のレーザービームにより、各々のセグメント始点により特定される複数のセグメントを含む光ディスク上に、データを記録するシステムおよび方法に関する。この方法は、データの記録のため、異なるセグメント始点において、各レーザービームの書込みを、順次、オン状態に切り替える工程７１０と、別のレーザービームにより先行して記録されたセグメントのセグメント始点に到達した各レーザービームの書込みを、順次、オフ状態に切り替える工程７２０と、１つのみのレーザービームが書込みオン状態に留まっている状態である際に、該状態を検出する工程７３０と、その１つのレーザービームによりアクセスされた、後続のセグメント始点を検出する工程７４０と、その１つのレーザービームの書込みを、オフ状態に切り替える工程７５０と、最も内側のレーザービームがその後続のセグメント始点に配されるように、すべてのレーザービームをシフトする工程７６０とを含む。
2009512963.tif 000002
【特許請求の範囲】
【請求項１】
光ディスクの内側トラックから外側トラックに沿って配される複数のレーザービームにより、各々のセグメント始点により特定される複数のセグメントを含む前記光ディスク上に、データを記録する方法であって、
−  データの記録のため、異なるセグメント始点において、各レーザービームの書込みを、順次、オン状態に切り替える工程と、
−  別のレーザービームにより先行して記録されたセグメントのセグメント始点に到達した各レーザービームの書込みを、順次、オフ状態に切り替える工程と、
−  １つのみのレーザービームが書込みオン状態に留まっている状態である際に、該状態を検出する工程と、
−  該１つのレーザービームによりアクセスされた、後続のセグメント始点を検出する工程と、
−  該１つのレーザービームの書込みを、オフ状態に切り替える工程と、
−  記録が内側トラックから外側トラックに向かって行われている場合には、最も内側のレーザービームが前記後続のセグメント始点に配され、記録が外側トラックから内側トラックに向かって行われている場合には、最も外側のレーザービームが前記後続のセグメント始点に配されるように、すべての前記複数のレーザービームをシフトする工程とを含むことを特徴とする方法。
【請求項２】
前記セグメント始点が、前記光ディスクのプリグルーブ情報、または前記光ディスク上に記録されたデータ情報から、検出されることを特徴とする請求項１記載の方法。
【請求項３】
光ディスクの内側トラックから外側トラックに沿って配される複数のレーザービームにより、各々のセグメント始点により特定される複数のセグメントを含む前記光ディスク上に、データを記録するシステムであって、
−  制御手段であって、
ａ）データの記録のため、異なるセグメント始点において、各レーザービームの書込みを、順次、オン状態に切り替える処理と、
ｂ）別のレーザービームにより先行して記録されたセグメントのセグメント始点に到達した各レーザービームの書込みを、順次、オフ状態に切り替える処理と、
ｃ）１つのみのレーザービームが書込みオン状態に留まっている状態である際に、該状態を検出し、該１つのレーザービームによりアクセスされた後続のセグメント始点を検出し、該１つのレーザービームの書込みをオフ状態に切り替える処理とを行う制御手段、および
−  記録が内側トラックから外側トラックに向かって行われている場合には、最も内側のレーザービームが前記後続のセグメント始点に配され、記録が外側トラックから内側トラックに向かって行われている場合には、最も外側のレーザービームが前記後続のセグメント始点に配されるように、すべての前記複数のレーザービームをシフトする手段を備えていることを特徴とするシステム。
【請求項４】
前記光ディスクのプリグルーブ情報、または前記光ディスク上に記録されたデータ情報から、前記セグメント始点を検出する検出器を、さらに備えていることを特徴とする請求項３記載のシステム。
【請求項５】
請求項３または４記載のシステムを含む、光ディスクに記録を行うレコーダ。
【発明の詳細な説明】
【技術分野】
【０００１】
本発明は、複数のレーザービームによって光ディスク上にデータを記録する方法およびシステムに関するものである。
【背景技術】
【０００２】
光記憶のソリューションが発展し、ＤＶＤ（デジタル・バーサタイル・ディスク）、ＶＣＤ（ビデオコンパクトディスク）またはＢＤ（ブルーレイディスク）といった光ディスクのデータ容量が増大してきたのに伴って、かかる光ディスク上にデータを記録する速度が、重要な要素となってきた。
【０００３】
光ディスク上に高速でデータを記録する技術はいくつか知られており、とりわけ、並列動作する複数のレーザービームを使用する技術が知られている。この技術では、複数のレーザービームが、光ディスク上に同時にデータを記録し、それら複数のレーザービームが予め規定された角度（たとえば３６０°の整数倍）だけ回転した後、次の位置に同時にシフトされるように制御される形態が提案されている。
【発明の開示】
【発明が解決しようとする課題】
【０００４】
これらの既知の技術は、いくつかの重要な制約を有する。実際には、複数のレーザービームが上記の予め規定された角度だけシフトされると、各レーザービームにより記録されるべき新たなデータシーケンスは、光ディスクの１つのセグメント（光ディスクの螺旋トラック上の予め規定された領域）内にそれぞれ同様に配される。このことは、記録される一連のデータシーケンスを接続するためには、複数のレーザービームが、チャネルビット長未満の高い精度で制御されなくてはならないことを示唆する。このような高い精度を達成するのは、困難なだけでなく、高コストである。さらに、この高い精度が達成されないと、記録される一連のデータシーケンスをシームレスに接続することができず、データシーケンスのデータの重複および／またはデータの損失による、記録エラーへと繋がる。
【０００５】
本発明の１つの目的は、複数のレーザービームによって光ディスク上にデータを記録するための、改善された方法およびシステムを提供することである。
【課題を解決するための手段】
【０００６】
本発明に係る方法は、光ディスクの内側トラックから外側トラックに沿って配される複数のレーザービームにより、各々のセグメント始点により特定される複数のセグメントを含む光ディスク上に、データを記録することを意図している。この方法は、
−  データの記録のため、異なるセグメント始点において、各レーザービームの書込みを、順次、オン状態に切り替える工程と、
−  別のレーザービームにより先行して記録されたセグメントのセグメント始点に到達した各レーザービームの書込みを、順次、オフ状態に切り替える工程と、
−  １つのみのレーザービームが書込みオン状態に留まっている状態である際に、該状態を検出する工程と、
−  その１つのレーザービームによりアクセスされた、後続のセグメント始点を検出する工程と、
−  その１つのレーザービームの書込みを、オフ状態に切り替える工程と、
−  記録が内側トラックから外側トラックに向かって行われている場合には、最も内側のレーザービームが上記の後続のセグメント始点に配され、記録が外側トラックから内側トラックに向かって行われている場合には、最も外側のレーザービームが上記の後続のセグメント始点に配されるように、すべてのレーザービームをシフトする工程とを含む。
【０００７】
本発明はまた、上記の本発明に係る方法の種々の工程を実施する処理手段を含む、システムも提案する。
【０００８】
この方法およびシステムでは、シフト後のレーザービームが、セグメントの始点から記録を開始し、１つのセグメント全体を一度に記録するような記録を行うので有利である。なぜならば、この形態では、ウォブル波長のオーダーの精度で十分であるので、従来技術と比べて、要求される精度が低いからである。その結果、データの重複やデータの損失を生じさせることなく、複数のレーザービームにより一連のデータシーケンスを記録することが可能となる。
【発明を実施するための最良の形態】
【０００９】
複数のレーザービームによって光ディスク上にデータを記録する本発明に係る方法およびシステムの、上記およびその他の特徴は、以下で図面を参照しながら述べられる本発明の実装態様および実施形態に関連して説明され、それらより明らかとなるであろう。全図面を通じて、類似の部分を指すために、同一の参照番号が用いられている。
【００１０】
理解を容易にするため、まず、２つのレーザービームを用いた例を通じて本発明を説明し、次に、複数のレーザービームへと一般化する。
【００１１】
記録プロセス中において、光ディスクとレーザービームとは、相対的な回転挙動を有する。光ディスクは、データを記憶するよう意図された複数のセグメントを有し、それらセグメントは、その光ディスク上の螺旋トラックに沿って規定されている。各セグメントは、光ディスク上の構造によって検出される、セグメント始点によって特定される。
【００１２】
以下の説明において、最も内側のレーザービームとは、光ディスクの最も内側のトラック上に配されたレーザービームを指し、最も外側のレーザービームとは、光ディスクの最も外側のトラック上に配されたレーザービームを指す。
【００１３】
また、以下の説明において、複数のレーザービームは、同じ時点では、光ディスクに対して同一の相対角度変化を有する。
【００１４】
さらに、以下の説明において、レーザービームが「オフ状態に切り替えられている」とは、書込／記録処理が「オフ」とされている状態、すなわち書込／記録処理がアクティブでない状態を指し、たとえば、レーザービームが光ディスク上に適用されていない状態や、レーザービームが読出モードで光ディスク上に適用されている状態を指す。レーザービームが「オン状態に切り替えられている」とは、書込／記録処理が「オン」とされている状態、すなわち書込／記録処理がアクティブとされている状態を指し、具体的には、レーザービームが書込／記録モードにある状態を指す。
【００１５】
図１から６は、本発明に従う方法の工程によって得られる種々の一連の状態を、一例として、データを並行記録するように光ディスクに適用される２つのレーザービームＡおよびＢを使用する例を通じて、図解した図である。
【００１６】
この例では、最も内側のレーザービームはレーザービームＡであり、最も外側のレーザービームはレーザービームＢである。この例では、内側トラックから外側トラックに向かって記録が行われることが前提とされているが、外側トラックから内側トラックに向かって記録が行われる場合でも類似の説明が当てはまることは、当業者には明らかであろう。
【００１７】
記録プロセスの開始時に相当する図１では、レーザービームＡの初期位置が、セグメント１の始点に配されており、レーザービームＢの初期位置が、セグメント４内のある場所に配されている。セグメント１の始点に配されているレーザービームＡは、セグメント１の始点よりオン状態に切り替えられる。セグメント４内に配されており、セグメント始点に配されていないレーザービームＢは、このレーザービームＢが図２に示すように後続の始点（この例では始点５）に到達するまで、オフ状態とされる。
【００１８】
図２は、レーザービームＢが、セグメント５の始点に到達した状態を示している。こんどはレーザービームＢはセグメント始点に配されているので、セグメント５の始点からオン状態に切り替えられる。レーザービームＡは、依然としてオン状態とされている。
【００１９】
図３は、レーザービームＡが、セグメント５の始点、すなわち別のレーザービーム（具体的にはレーザービームＢ）によって先行して記録されたセグメントの始点に、到達した状態を示している。レーザービームＢによって先行して記録されたデータの上書きを避けるため、レーザービームＡはオフ状態に切り替えられる。レーザービームＢが、この例におけるセグメント１３の始点（あるいはセグメント１４以降の始点）のような後続のセグメント始点に到達するまでの間、レーザービームＢは、オン状態に留まっている唯一のレーザービームとなる。
【００２０】
図４は、レーザービームＢが、後続のセグメント始点（この例ではセグメント１３の始点）に到達したため、オフ状態に切り替えられた状態を示している。レーザービームＡおよびＢが両方ともオフ状態となっているため、レーザービームＡおよびＢが同時にシフトされ、レーザービームＡ（すなわち最も内側のビーム）が、上記の後続のセグメント１３の始点、すなわちレーザービームＢがオフ状態に切り替えられたセグメント始点に配される。
【００２１】
図５は、レーザービームＡおよびＢのシフト直後における、レーザービームＡがセグメント１３の始点に到達する前の中間状態を示している。実際には、光ディスクは回転しており、上記のシフトは瞬時では行われないため、レーザービームＡは、セグメント１３の始点より前に位置するセグメント内に到達する。この例では、レーザービームＡはセグメント１２内に到達し、レーザービームＢはセグメント２３内に到達している。
【００２２】
レーザービームＡは、記憶されているセグメント１３の始点に到達したときに、オン状態に切り替えられる。
【００２３】
レーザービームＢもまた、セグメント始点に到達したときに、オン状態に切り替えられる。これには、以下の２つの場合がある。
−  レーザービームＢがセグメント２４の始点でオン状態に切り替えられている図６Ａが示すように、レーザービームＡがオン状態に切り替えられるよりも早く、レーザービームＢがオン状態に切り替えられる場合。
−  レーザービームＢが次のセグメント２５の始点でオン状態に切り替えられている図６Ｂが示すように、レーザービームＡがオン状態に切り替えられた後に、レーザービームＢがオン状態に切り替えられる場合。
【００２４】
次の処理段階は、図２を参照して説明したのと類似の段階である。
【００２５】
図７は、複数のレーザービームによって光ディスク上にデータを記録する、本発明に従う方法のフローチャートを示している。この方法では、レーザービームは光ディスクの内側トラックから外側トラックに沿って配され、光ディスクは、各々のセグメント始点により特定される複数のセグメントを含んでいる。この方法は、以下の各工程を含んでいる。
−  データの記録のため、異なるセグメント始点において、各レーザービームの書込みを、順次、オン状態に切り替える工程（７１０）。この切替えは、光ディスクのプリグルーブ情報、または予め光ディスク上に記録されたデータ情報から検出された、セグメント始点に基づいて行われ得る。セグメント始点の検出自体は知られているので、ここではさらなる説明は行わない。
−  別のレーザービームにより先行して記録されたセグメントのセグメント始点に到達した各レーザービームの書込みを、順次、オフ状態に切り替える工程（７２０）。この工程は、レーザービームがオン状態に切り替えられた際に、そのレーザービームによる先行セグメント始点を記憶しておくことを暗に意味する。
−  １つのみのレーザービームが書込みオン状態に留まっている状態である際に、該状態を検出する工程（７３０）。１つより多くのレーザービームが書込みオン状態のままである限りは、処理は工程７２０へと戻る。
−  上記の１つのレーザービームによりアクセスされた、後続のセグメント始点を検出する工程（７４０）。
−  上記の１つのレーザービームの書込みを、オフ状態に切り替える工程（７５０）。
−  記録が内側トラックから外側トラックに向かって行われている場合には、最も内側のレーザービームが上記の後続のセグメント始点に配され、記録が外側トラックから内側トラックに向かって行われている場合には、最も外側のレーザービームが上記の後続のセグメント始点に配されるように、すべてのレーザービームをシフトする工程（７６０）。このシフトは、すべてのレーザービームを同時に変位させることを意味し、たとえば光ディスクの半径方向に沿った並進移動によって変位が行われる。
【００２６】
追加の判定工程７７０においては、工程７１０へと処理が戻るか、あるいはこの追加判定工程における条件が満足された場合（たとえば記録すべきデータがもうない場合）には、処理が停止する。
【００２７】
図８は、上記の本発明に従う方法を実施するシステムを示している。このシステムは、光ディスク８１０の内側トラックから外側トラックに沿って配される複数のレーザービーム（Ａ、Ｂ）により、各々のセグメント始点により特定される複数のセグメントを含む光ディスク８１０上に、データを記録することを意図している。レーザービームは、レーザーユニット８７０によって発生させられる。
【００２８】
このシステムは、以下の処理を行うための制御手段８２０を含んでいる。
ａ）データの記録のため、異なるセグメント始点において、各レーザービームの書込みを、順次、オン状態に切り替える処理。セグメント始点は、たとえば、光ディスクのプリグルーブ情報、または光ディスク上に記録されたデータ情報から、検出器８３０を介して検出される。プリグルーブ情報または光ディスク上に記録されたデータ情報を通じた、セグメント始点の検出自体は知られているので、ここではさらなる説明は行わない。ある所与のレーザービームがオン状態に切り替えられると、対応のセグメント始点が、メモリ８４０内に記憶される。
ｂ）別のレーザービームにより先行して記録されたセグメントのセグメント始点に到達した各レーザービームの書込みを、順次、オフ状態に切り替える処理。セグメント始点は、検出器８３０を介して検出される。この状態切替えは、先行して記憶されたセグメント始点と現在のセグメント始点との、比較器８５０による比較に基づいて行われてもよい。
ｃ）１つのみのレーザービームが書込みオン状態に留まっている状態である際に、該状態を検出し、その１つのレーザービームによりアクセスされた後続のセグメント始点を検出し、その１つのレーザービームの書込みをオフ状態に切り替える処理。この後続のセグメント始点は、検出器８３０を介して検出される。
【００２９】
記録されるデータは、まずコーダ８６０によりコード化される。このコーダ８６０は、レーザーユニット８７０から発せられるレーザーＡおよびＢの、レーザーパルスを変調する役割を担っている。
【００３０】
このシステムはさらに、記録が内側トラックから外側トラックに向かって行われている場合には、最も内側のレーザービームが上記の後続のセグメント始点に配され、記録が外側トラックから内側トラックに向かって行われている場合には、最も外側のレーザービームが上記の後続のセグメント始点に配されるように、すべてのレーザービーム（Ａ、Ｂ）を同時にシフトする手段も含んでいる。
【００３１】
このシフトは、すべてのレーザービーム（Ａ、Ｂ）を同時に変位させることを意味し、たとえば、矢印ＬおよびＧによって図示されているような、光ディスクの半径方向に沿った並進移動によって変位が行われる。このシフトは、たとえば、制御手段８２０の制御下において、半径方向に沿ったレーザービームの変位を通常担っているのと類似のアクチュエーション手段（図示せず）によって行われてもよい。
【００３２】
このシステムは、光ディスク用のレコーダ（たとえばコンピュータ用ディスクドライブ、スタンドアロン型の装置等々）内に、有利に組み込まれてもよい。
【００３３】
上記に述べた実施形態は、本発明を制限するものではなく説明のためのものであり、当業者においては、特許請求の範囲による本発明の範囲から逸脱することなく、変更実施形態を設計することができるであろう点に留意されたい。特許請求の範囲においては、括弧内のいずれの参照符号も、特許請求の範囲を限定するものと解釈されるべきではない。「含む」または「備える」との語は、請求項中に列挙されたもの以外の要素または工程の存在を排除するものではない。ある要素の前に置かれた「１つの」との語は、そのような要素が複数存在することを排除するものではない。本発明は、いくつかの別個の要素を備えたハードウェアにより実装されてもよいし、適切にプログラミングされたコンピュータにより実装されてもよい。いくつかの手段を列挙したユニットの請求項では、それらの手段のうちのいくつかが、１つの同一のハードウェア要素によって実現されてもよい。「第１の」、「第２の」および「第３の」等の語の使用は、何らかの順序付けを示すものではない。これらの語は、呼称として解釈されるべきである。
【図面の簡単な説明】
【００３４】
【図１】本発明に従う方法の工程によって得られる種々の一連の状態のうちの１つを、一例として示した図
【図２】本発明に従う方法の工程によって得られる種々の一連の状態のうちの１つを、一例として示した図
【図３】本発明に従う方法の工程によって得られる種々の一連の状態のうちの１つを、一例として示した図
【図４】本発明に従う方法の工程によって得られる種々の一連の状態のうちの１つを、一例として示した図
【図５】本発明に従う方法の工程によって得られる種々の一連の状態のうちの１つを、一例として示した図
【図６Ａ】本発明に従う方法の工程によって得られる種々の一連の状態のうちの１つを、一例として示した図
【図６Ｂ】本発明に従う方法の工程によって得られる種々の一連の状態のうちの１つを、一例として示した図
【図７】複数のレーザービームによって光ディスク上にデータを記録する、本発明に従う方法のフローチャート
【図８】上記の本発明に従う方法を実施するシステムを示した図
【図１】
2009512963.tif 000003
【図２】
2009512963.tif 000004
【図３】
2009512963.tif 000005
【図４】
2009512963.tif 000006
【図５】
2009512963.tif 000007
【図６Ａ】
2009512963.tif 000008
【図６Ｂ】
2009512963.tif 000009
【図７】
2009512963.tif 000010
【図８】
2009512963.tif 000011
【国際調査報告】
2009512963.tif 000012
2009512963.tif 000013